(57)【要約】【課題】構成が簡潔で安価に製作することができ、軽量かつ小型で持ち運びが容易であり、かつ、装置を動作させるための電源が不要であって、清掃場所の付近にコンセント等の電源がない場合であっても使用することができるエスカレーター踏段清掃装置を得る。【解決手段】エスカレーター踏段清掃装置において、踏段のほぼ全幅に亘る表面に、移動方向と平行に設けられた踏段溝の内部を清掃する踏段清掃装置であって、踏段清掃装置本体と、踏段清掃装置本体に、全部又は一部の踏段溝のそれぞれに対応して設けられた清掃ブラシと、を備え、踏段清掃装置本体は、乗降口のランディングプレートに螺着されたくし板を取り外して、踏段清掃装置本体に穿設された固定ビス孔を通したビスをくし板を螺着するのに用いていたランディングプレートのビス孔を利用して螺着することにより、ランディングプレートに取付される構成とする。【選択図】図１
2010070316.tif 000002
【特許請求の範囲】
【請求項１】
エスカレーターの踏段のほぼ全幅に亘る表面に、前記踏段の移動方向と平行に設けられた踏段溝の内部を清掃するエスカレーター踏段清掃装置であって、
踏段清掃装置本体と、
前記踏段清掃装置本体に、全部又は一部の前記踏段溝のそれぞれに対応して設けられた清掃ブラシと、を備え、
前記踏段清掃装置本体は、エスカレーター乗降口のランディングプレートの前記踏段側の端部に螺着されたくし板を取り外して、前記踏段清掃装置本体に穿設された固定ビス孔を通したビスを前記くし板を螺着するのに用いていた前記ランディングプレートのビス孔を利用して螺着することにより、前記ランディングプレートに取付されることを特徴とするエスカレーター踏段清掃装置。
【請求項２】
前記清掃ブラシは、１つの前記踏段溝に対して１つずつ設けられ、それぞれが個別に着脱自在であることを特徴とする請求項１に記載のエスカレーター踏段清掃装置。
【請求項３】
前記踏段清掃装置本体は、前記踏段清掃装置本体に突設されたブラシ取付ピンを備え、
前記清掃ブラシは、前記清掃ブラシの基台部側面に穿設された取付孔に対し、前記ブラシ取付ピンが挿入され又は引出されることにより着脱されることを特徴とする請求項１又は請求項２のいずれかに記載のエスカレーター踏段清掃装置。
【請求項４】
前記清掃ブラシは、清掃作業を行うエスカレーターに応じてブラシ部の性質を変えた複数の種類が準備され、これらの複数の種類の前記清掃ブラシのいずれもが前記踏段清掃装置本体に対して着脱自在であることを特徴とする請求項１から請求項３のいずれかに記載のエスカレーター踏段清掃装置。
【請求項５】
前記踏段清掃装置本体に穿設される前記固定ビス孔は、前記踏段の移動方向と直角に交わる方向に長手が配置された長円形であることを特徴とする請求項１から請求項４のいずれかに記載のエスカレーター踏段清掃装置。
【請求項６】
前記踏段清掃装置本体は、
前記固定ビス孔が穿設され、前記ランディングプレートに取付される踏段清掃装置本体固定側と、
前記清掃ブラシが設けられた踏段清掃装置本体清掃側と、
前記踏段清掃装置本体固定側と前記踏段清掃装置本体清掃側とを、前記踏段清掃装置本体固定側と前記踏段清掃装置本体清掃側との間隔寸法を調整自在に連結する位置調整手段と、を備えたことを特徴とする請求項１から請求項５のいずれかに記載のエスカレーター踏段清掃装置。
【請求項７】
前記位置調整手段は、
前記踏段清掃装置本体固定側に突設された第１の位置調整用ボルトと、
前記踏段清掃装置本体清掃側の反前記清掃ブラシ側に突設された第２の位置調整用ボルトと、
前記第１の位置調整用ボルト及び前記第２の位置調整用ボルトのうちいずれか一方とは順ネジで螺合し、他方とは逆ネジで螺合する位置調整用ナットと、を備えたことを特徴とする請求項６に記載のエスカレーター踏段清掃装置。
【発明の詳細な説明】
【技術分野】
【０００１】
この発明は、エスカレーター踏段清掃装置に関するものである。
【背景技術】
【０００２】
従来におけるエスカレーター踏段清掃装置においては、エスカレーター踏段のクリート面の清掃を行う際に、清掃体のブラシをモータ等の回転手段により高速で回転させて溝内部のゴミを掻き出し除去するものとして、吸口本体ケースと、この吸口本体ケース内に設けた清掃体と、モータ及びこのモータの駆動を伝えるベルトを有しこの清掃体を回転させる回転手段と、清掃体で除去されたゴミを掃除機本体に送る吸出口と、を備え、前記清掃体はクリート面溝内部を清掃するブラシ及びこのブラシを保護するブラシガードとから構成され、前記ブラシを前記吸口本体ケースの下面開口から突出させるようにして構成したものが知られている（例えば、特許文献１参照）。
【０００３】
【特許文献１】特開平０８−１９２９８２号公報
【発明の開示】
【発明が解決しようとする課題】
【０００４】
しかしながら、特許文献１に示された従来におけるエスカレーター踏段清掃装置においては、ブラシの植え込まれた清掃体を回転させるためのモータ等の回転体を有するため構成が複雑であって製作の際のコストが比較的高価なものとなってしまうという課題や、構成が複雑であることに起因して装置自体が大きく重量があるため、持ち運びが困難であり作業性が悪いという課題がある。
そして、エスカレーターにおける清掃等の作業は、対象となるエスカレーターの運転を休止して行うものであるため、その作業可能時間が限られていることが多い。この限られた作業可能時間内において作業を終了できるようにするため、作業対象となるエスカレーターの数が多い場合には、踏段清掃装置を複数台用意する必要が生じるが、この際、特に前述のように、踏段清掃装置一台当たりのコストが高価なものである場合には、複数台用意するために多くのコストが掛かることとなるという課題もある。
【０００５】
また、特許文献１に示された従来におけるエスカレーター踏段清掃装置においては、モータ等により清掃体のブラシを駆動するので、装置を動作させるためにこのモータに電力を供給する電源が必要である。従って、この踏段清掃装置を用いて清掃を行う場所の付近にコンセント等の電源がないと使用できないという課題がある。
さらに、清掃体のブラシ及びブラシガードの一部が破損した場合、この破損したブラシ等に対応する位置の踏段クリート面の溝内部を清掃することができなくなるため、清掃体のブラシ及びブラシガードの一部のみが破損した場合であっても、清掃体を総取替えする必要があるため、装置の維持にコストが掛かるという課題もある。
【０００６】
この発明は、前述のような課題を解決するためになされたもので、第１の目的は、構成が簡潔で安価に製作することができ、軽量かつ小型で持ち運びが容易であって、複数のエスカレーターに対し同時に踏段の清掃を行う場合においてもコスト的に有利なエスカレーター踏段清掃装置を得るものである。
また、第２の目的は、装置を動作させるための電源が不要であって、清掃場所の付近にコンセント等の電源がない場合であっても使用することができるエスカレーター踏段清掃装置を得るものである。
そして、第３の目的は、清掃用ブラシの一部が破損した場合に、必要最小限の交換しか必要とならず、装置の維持にコストの掛からないエスカレーター踏段清掃装置を得るものである。
【課題を解決するための手段】
【０００７】
この発明に係るエスカレーター踏段清掃装置においては、エスカレーターの踏段のほぼ全幅に亘る表面に、前記踏段の移動方向と平行に設けられた踏段溝の内部を清掃するエスカレーター踏段清掃装置であって、踏段清掃装置本体と、前記踏段清掃装置本体に、全部又は一部の前記踏段溝のそれぞれに対応して設けられた清掃ブラシと、を備え、前記踏段清掃装置本体は、エスカレーター乗降口のランディングプレートの前記踏段側の端部に螺着されたくし板を取り外して、前記踏段清掃装置本体に穿設された固定ビス孔を通したビスを前記くし板を螺着するのに用いていた前記ランディングプレートのビス孔を利用して螺着することにより、前記ランディングプレートに取付される構成とする。
【発明の効果】
【０００８】
この発明はエスカレーター踏段清掃装置において、エスカレーターの踏段のほぼ全幅に亘る表面に、前記踏段の移動方向と平行に設けられた踏段溝の内部を清掃するエスカレーター踏段清掃装置であって、踏段清掃装置本体と、前記踏段清掃装置本体に、全部又は一部の前記踏段溝のそれぞれに対応して設けられた清掃ブラシと、を備え、前記踏段清掃装置本体は、エスカレーター乗降口のランディングプレートの前記踏段側の端部に螺着されたくし板を取り外して、前記踏段清掃装置本体に穿設された固定ビス孔を通したビスを前記くし板を螺着するのに用いていた前記ランディングプレートのビス孔を利用して螺着することにより、前記ランディングプレートに取付される構成としたことで、構成が簡潔で安価に製作することができ、軽量かつ小型で持ち運びが容易であって、複数のエスカレーターに対し同時に踏段の清掃を行う場合においてもコスト的に有利であるという効果を奏する。
また、装置を動作させるための電源が不要であって、清掃場所の付近にコンセント等の電源がない場合であっても使用することができるという効果も併せ奏する。
【発明を実施するための最良の形態】
【０００９】
この発明を添付の図面に従い説明する。各図を通じて同符号は同一部分又は相当部分を示しており、その重複説明は適宜に簡略化又は省略する。
【００１０】
実施の形態１．
図１から図４は、この発明の実施の形態１に関するもので、図１は踏段清掃装置の全体構成を示す斜視図、図２は通常時におけるエスカレーターの乗降口の要部拡大断面図、図３は踏段清掃装置を使用している状態を示す斜視図、図４は図３におけるブラシ部を拡大した図である。
図において１はエスカレーターの主枠内を循環移動する無端状に連結された踏段であり、この踏段１のほぼ全幅に亘る表面には、この踏段１の移動方向と平行に踏段溝１ａが設けられている。前記主枠上には前記踏段１の左右両側に沿って欄干２が立設されており、この欄干２の下端部には前記踏段１の左右両側に沿うようにスカートガード３が取付されている。
エスカレーターの上端部及び下端部の乗降口には、ランディングプレート４が設けられており、このランディングプレート４の前記踏段１側の端部には、くし板５が、このくし板５に穿設されたくし板ビス孔５ａに通されたビスにより、前記ランディングプレート４のネジ孔に対して螺着されている。このくし板５は、前記踏段１からエスカレーターの内部へと異物が侵入することを防ぐ目的で設けられており、前記踏段１の前記踏段溝１ａ内に所定の間隙をもって係合するくし部５ｂを有している。
【００１１】
６は踏段清掃装置本体で、大別すると踏段清掃装置本体固定側６ａと踏段清掃装置本体清掃側６ｂの２つの部分から構成されている。
前記踏段清掃装置本体固定側６ａは、平面視略長方形を呈する板材からなり、前記踏段清掃装置本体固定側６ａの前記長方形の長手方向に平行な長径をもつ長円形を呈する固定ビス孔７が穿設されている。この固定ビス孔７は、長円形の長径方向、すなわち前記踏段清掃装置本体固定側６ａの前記長方形の長手方向に対して平行となるように並べられて、２つ設けられている。そして、前記踏段清掃装置本体固定側６ａの一方の長辺の側面における長手方向両端寄りの位置には、第１の位置調整用ボルト８ａがそれぞれ突設されており、これらの第１の位置調整用ボルト８ａの先端には位置調整用ナット９がそれぞれ螺合されている。
【００１２】
これらの位置調整用ナット９は、一方の側から前記第１の位置調整用ボルト８ａが螺合され、他方の側から後述する第２の位置調整用ボルト８ｂと螺合されるものであって、これらの位置調整用ナット９には、前記第１の位置調整用ボルト８ａ及び前記第２の位置調整用ボルト８ｂと螺合するためのネジ孔が貫通して穿設されている。
そして、このネジ孔は、前記第１の位置調整用ボルト８ａが螺合される一方側から前記位置調整用ナット９の中央部までに螺刻されているネジ山の螺旋が巻く方向と、前記第２の位置調整用ボルト８ｂが螺合される他方側から前記位置調整用ナット９の中央部までに螺刻されているネジ山の螺旋が巻く方向と、が逆方向となるようにして設けられている。すなわち、前記位置調整用ナット９の、前記第１の位置調整用ボルト８ａが螺合される一方側から中央部までに螺刻されているネジ山は、時計回りに回すことによりネジが締まるいわゆる順ネジとなっており、前記第２の位置調整用ボルト８ｂが螺合される他方側から中央部までに螺刻されているネジ山は、反時計回りに回すことによりネジが締まるいわゆる逆ネジとなっている。
【００１３】
これらの前記位置調整用ナット９の前記第１の位置調整用ボルト８ａが螺合された側の反対側には、前記第２の位置調整用ボルト８ｂの一端側がそれぞれ螺合され、これら一対の前記第２の位置調整用ボルト８ｂの他端側には前記踏段清掃装置本体清掃側６ｂが取付されている。従って、前記位置調整用ナット９を回転させることにより前記踏段清掃装置本体固定側６ａ及び前記踏段清掃装置本体清掃側６ｂ間の距離を任意の距離に調整することが可能であり、前記第１の位置調整用ボルト８ａ及び前記第２の位置調整用ボルト８ｂ並びに前記位置調整用ナット９により位置調整手段が構成される。
【００１４】
前記踏段清掃装置本体清掃側６ｂの反前記第２の位置調整用ボルト８ｂ側の側面部には複数のブラシ取付ピン１０が突設されており、これらのブラシ取付ピン１０は、くし歯状に並列されて配置されている。
これらの前記ブラシ取付ピン１０のそれぞれには、清掃ブラシ１１が着脱自在に取付されている。この前記清掃ブラシ１１は、基台部１１ａとこの基台部１１ａに植え込まれたブラシ部１１ｂからなり、この基台部１１ａの側面中央に穿設された取付孔１１ｃに前記ブラシ取付ピン１０が挿入され又は引出されることにより、それぞれの前記清掃ブラシ１１が個別に着脱される。
前記ブラシ取付ピン１０及び前記清掃ブラシ１１は、前記踏段１の前記踏段溝１ａと同じ間隔で設けられ、前記清掃ブラシ１１のそれぞれが前記踏段溝１ａの全部又は一部のそれぞれに対応して、１つの前記清掃ブラシ１１が１つの前記踏段溝１ａ内を清掃するようになっている。
【００１５】
このようにして構成された踏段清掃装置を用いたエスカレーターの踏段の清掃は、次の手順により行われる。
まず、前記くし板５を螺着していたビスを緩めて外すことにより、前記ランディングプレート４から前記くし板５を取り外す。
そして、前記ランディングプレート４に前記踏段清掃装置本体６を取付する。この際、前記踏段清掃装置本体固定側６ａの前記固定ビス孔７を通したビスを、前記くし板５を螺着するのに用いていた前記ランディングプレート４のビス孔を利用して螺着することにより、前記ランディングプレート４に前記踏段清掃装置本体６を固定する。前記固定ビス孔７は、前記踏段清掃装置本体固定側６ａの前記長方形の長手方向に平行な長径をもつ長円形、換言すれば、前記踏段１の移動方向と直角に交わる方向に長手が配置された長円形であるので、様々な前記ランディングプレート４のビス孔の位置（すなわち前記くし板ビス孔５ａの位置）に対して対応することが可能である。なおここで、前記踏段清掃装置本体６の取付前に予め前記ブラシ取付ピン１０に前記清掃ブラシ１１を取付しておく。
次に、前記位置調整用ナット９を回転させて前記清掃ブラシ１１の前記ブラシ部１１ｂの前記踏段１の前記踏段溝底部１ｂに対する当たり面が適切なものとなるように前記踏段清掃装置本体固定側６ａと前記踏段清掃装置本体清掃側６ｂとの間隔を調整する。
【００１６】
以上の手順の後、エスカレーターを運転させて前記清掃ブラシ１１により前記踏段溝１ａ内からゴミや埃等を掻き出す。このとき、エスカレーターの運転方向は、上下の乗降口のうち前記踏段清掃装置本体６を設置している側に向かって前記踏段１が進行する方向に行う。具体的にいうと、前記踏段清掃装置本体６を上側乗降口の前記ランディングプレート４に設置した場合には前記踏段１を上昇させる方向にエスカレーターを運転し、これとは逆に、前記踏段清掃装置本体６を下側乗降口の前記ランディングプレート４に設置した場合には前記踏段１を下降させる方向にエスカレーターを運転する。
このようにして前記清掃ブラシ１１により前記踏段溝１ａから掻き出されるゴミ等は、掃除機等により除去しながら清掃作業を実施する。
【００１７】
なお、清掃作業により、一部の前記清掃ブラシ１１に磨耗や劣化が生じて清掃能力が低下した場合には、当該磨耗等を起こした前記清掃ブラシ１１のみを交換することにより清掃能力を復活させることが可能である。
【００１８】
以上のように構成されたエスカレーター踏段清掃装置においては、踏段清掃装置本体に、全部又は一部の踏段溝のそれぞれに対応して清掃ブラシを設け、この踏段清掃装置本体を、エスカレーター乗降口のランディングプレートの踏段側の端部に螺着されたくし板を取り外して、踏段清掃装置本体に穿設された固定ビス孔を通したビスをくし板を螺着するのに用いていたランディングプレートのビス孔を利用して螺着することにより、ランディングプレートに取付するように構成したため、構成が簡潔で安価に製作することができ、軽量かつ小型で持ち運びが容易であって、複数のエスカレーターに対し同時に踏段の清掃を行う場合においてもコスト的に有利であり、かつ、装置を動作させるための電源が不要であって、清掃場所の付近にコンセント等の電源がない場合であっても使用することができる。
【００１９】
また、清掃ブラシを、１つの前記踏段溝に対して１つずつ設け、それぞれが個別に着脱自在であることから、清掃ブラシの一部が破損した場合に、必要最小限の交換しか必要とならず、装置の維持にコストが掛からない。
【００２０】
そして、踏段清掃装置本体に穿設される固定ビス孔を、踏段の移動方向と直角に交わる方向に長手が配置された長円形としたことにより、ランディングプレートに設けられたビス孔位置の異なる様々なエスカレーターに対して対応することが可能であり、踏段清掃装置本体固定側と踏段清掃装置本体清掃側とを、これらの間隔寸法を調整自在に連結する位置調整手段を備えたことにより、ランディングプレートに設けられたビス孔位置から踏段までの距離が異なる様々なエスカレーターに対して対応することが可能である。
【００２１】
なお、踏段清掃装置本体の幅が踏段の幅よりも小さく、清掃ブラシにより踏段溝の一部しか清掃することができない場合に、以上の構成を持つ複数の踏段清掃装置本体を幅方向に連結して用いることにより、一度に清掃できる踏段溝の本数を増やして清掃作業を効率的に行うことが可能である。
【００２２】
実施の形態２．
ここで説明する実施の形態２は、前述した実施の形態１の構成において、ブラシ部の長さや材質等の性質を変えた複数の種類の清掃ブラシであって、これらの複数の種類の前記清掃ブラシのいずれもが踏段清掃装置本体に対して着脱自在となるようしたものを準備し、清掃作業を行うエスカレーターの状況等に応じて適切な種類の清掃ブラシに適宜交換するようにしたものである。
すなわち、例えば、前記ブラシ部１１ｂの長さを前記踏段溝１ａの深さに応じて変えた前記清掃ブラシ１１や、綿埃の多い場所のために前記ブラシ部１１ｂの材質を通常よりも柔らかいものにし、かつ、植え込まれるブラシの本数を多くした前記清掃ブラシ１１等であって、これらの複数の種類の前記清掃ブラシ１１のいずれもが前記踏段清掃装置本体６に対して着脱自在となるようにしたものを予め準備し、清掃作業を行うエスカレーターの状況等に応じて適切な種類の前記清掃ブラシ１１を選択して、前記ブラシ取付ピン１０に装着する。
なお、他の構成使用手順については実施の形態１と同様である。
【００２３】
以上のように構成されたエスカレーター踏段清掃装置においては、実施の形態１と同様の効果を奏することができるのに加えて、ブラシ部の長さや材質等の性質を変えた複数の種類の清掃ブラシであって、これらの複数の種類の前記清掃ブラシのいずれもが踏段清掃装置本体に対して着脱自在となるようしたものを準備し、清掃作業を行うエスカレーターの状況等に応じて適切な種類の清掃ブラシに適宜交換することにより、作業効率を向上させることができる。
【図面の簡単な説明】
【００２４】
【図１】この発明の実施の形態１に関し踏段清掃装置の全体構成を示す斜視図である。
【図２】この発明の実施の形態１に関し通常時におけるエスカレーターの乗降口の要部拡大断面図である。
【図３】この発明の実施の形態１に関し踏段清掃装置を使用している状態を示す斜視図である。
【図４】この発明の実施の形態１に関し図３におけるブラシ部を拡大した図である。
【符号の説明】
【００２５】
１    踏段
１ａ  踏段溝
１ｂ  踏段溝底部
２    欄干
３    スカートガード
４    ランディングプレート
５    くし板
５ａ  くし板ビス孔
５ｂ  くし部
６    踏段清掃装置本体
６ａ  踏段清掃装置本体固定側
６ｂ  踏段清掃装置本体清掃側
７    固定ビス孔
８ａ  第１の位置調整用ボルト
８ｂ  第２の位置調整用ボルト
９    位置調整用ナット
１０    ブラシ取付ピン
１１    清掃ブラシ
１１ａ  基台部
１１ｂ  ブラシ部
１１ｃ  取付孔
【図１】
2010070316.tif 000003
【図２】
2010070316.tif 000004
【図３】
2010070316.tif 000005
【図４】
2010070316.tif 000006